(57)【要約】      （修正有）【課題】太陽追尾機能を有するソーラー発電装置を提供する。【解決手段】ソーラー発電装置１は、可動モジュール１０と第一支持構造２０と接続構造３０と第二支持構造４０と載置構造５０とソーラー発電モジュール６０とを含む。第一支持構造２０の第一端２１は可動モジュール１０に接続される。接続構造３０の第一端３１は可動モジュール１０に接続される。第二支持構造４０の第一端４１は接続構造３０の第二端３２に接続される。載置構造５０の第一端５１は第二支持構造４０の第二端４２に接続され、載置構造５０の第二端５２は第一支持構造２０の第二端２２に接続される。ソーラー発電モジュール６０は載置構造５０上に設置される。可動モジュール１０は第二支持構造４０に対して回動可能であり、且つ第一支持構造２０と第二支持構造４０との長さの違いは調整可能であり、これによりソーラー発電モジュールは太陽追尾機能を有する。【選択図】図１
2013021287.tif 000002
【特許請求の範囲】
【請求項１】
可動モジュールと、
第一端が前記可動モジュールに接続される第一支持構造と、
第一端が前記可動モジュールに接続される接続構造と、
第一端が前記接続構造の第二端に接続される第二支持構造と、
第一端が前記第二支持構造の第二端に接続され、第二端が前記第一支持構造の第二端に接続される載置構造と、
前記載置構造上に設置されるソーラー発電モジュールと、
を含み、
そのうち、前記可動モジュールが前記第二支持構造に対して回動し、且つ前記第一支持構造と前記第二支持構造との長さの違いが調整されることにより、前記ソーラー発電モジュールが太陽追尾機能を有することを特徴とする太陽追尾機能を有するソーラー発電装置。
【請求項２】
前記載置構造は、前記第一支持構造と前記第二支持構造に回動自在に接続されることを特徴とする請求項１記載の太陽追尾機能を有するソーラー発電装置。
【請求項３】
前記第一支持構造と前記第二支持構造のうち、少なくとも１つの長さが伸縮可能であることを特徴とする請求項１記載の太陽追尾機能を有するソーラー発電装置。
【請求項４】
前記第二支持構造は、
前記接続構造に接続される下支柱と、
前記下支柱に連結されて前記載置構造に接続され、かつ、前記下支柱に対して伸縮及び回動可能である上支柱と、
を含むことを特徴とする請求項１記載の太陽追尾機能を有するソーラー発電装置。
【請求項５】
前記第一支持構造は、
前記接続構造に接続される下支柱と、
前記下支柱に連結されて前記載置構造に接続され、かつ、前記下支柱に対して伸縮可能である上支柱と、
を含むことを特徴とする請求項１記載の太陽追尾機能を有するソーラー発電装置。
【請求項６】
一端が前記ソーラー発電モジュールに接続され、前記第二支持構造中に設置されるケーブルを更に含むことを特徴とする請求項１記載の太陽追尾機能を有するソーラー発電装置。
【請求項７】
前記載置構造は、
フレーム体と、
前記フレーム体及び前記第一支持構造に接続される第一支持棒と、
前記フレーム体及び前記第二支持構造に接続される第二支持棒と、
を含むことを特徴とする請求項１記載の太陽追尾機能を有するソーラー発電装置。
【請求項８】
前記可動モジュールは、
モーターと、
前記モーターにより回動駆動し、前記可動モジュールを前記第二支持構造に対して回動させる複数のローラーと、
を含むことを特徴とする請求項１記載の太陽追尾機能を有するソーラー発電装置。
【請求項９】
前記モーターは前記ソーラー発電モジュールにより給電されることを特徴とする請求項８記載の太陽追尾機能を有するソーラー発電装置。
【請求項１０】
前記ソーラー発電モジュールは、
複数の太陽電池が接続されて構成される複数のソーラーパネルを含むことを特徴とする請求項１記載の太陽追尾機能を有するソーラー発電装置。
【発明の詳細な説明】
【技術分野】
【０００１】
本発明は太陽追尾機能を有するソーラー発電装置に関する。
【背景技術】
【０００２】
通常、ソーラー発電システムは建築物上に固定されているため、太陽の位置に従って方向を調整することができず、太陽エネルギーの利用率を大幅に低下させている。別の従来のソーラー発電システムは可動の載置ベース上に設置されている。この種のソーラー発電システムは太陽の位置に従って角度を調整でき、太陽エネルギーの利用率が更に向上できる。この種のソーラー発電システムは、太陽の位置に基づき角度を調整して太陽の方向を追尾する。この種のシステムは通常、小型の発電装置にしか応用できず、大型の発電装置には不向きである。よって、従来のソーラー発電システムは依然改善の余地があった。
【発明の概要】
【発明が解決しようとする課題】
【０００３】
従って、本発明の目的は、太陽追尾機能を有するソーラー発電装置を提供することであり、小型発電装置のみに限らず、大型発電装置にも応用できることである。
【課題を解決するための手段】
【０００４】
上記の目的を達成するため、本発明は、太陽追尾機能を有するソーラー発電装置を提供し、前記ソーラー発電装置は、可動モジュールと第一支持構造と接続モジュールと第二支持構造と載置構造とソーラー発電モジュールを含む。第一支持構造の第一端は可動モジュールに接続される。接続構造の第一端は可動モジュールに接続される。第二支持構造の第一端は接続構造の第二端に接続される。載置構造の第一端は第二支持構造の第二端に接続され、載置構造の第二端は第一支持構造の第二端に接続される。ソーラー発電モジュールは載置構造上に設置される。可動モジュールは第二支持構造に対して回動し、且つ第一支持構造と第二支持構造との長さの違いは調整でき、これによりソーラー発電モジュールは太陽追尾機能を有する。
【発明の効果】
【０００５】
以上により、本発明の太陽追尾機能を有するソーラー発電装置は、小型発電装置に適応できるだけでなく、更に、大型発電装置にも適応できる。又、自由度が高い回動及び移動機能を有するために、各種異なる応用に適合するので、太陽エネルギーの利用率を有効に向上できる。
【図面の簡単な説明】
【０００６】
【図１】図１は本発明の第一実施例に基づくソーラー発電装置の立体図である。
【図２】図２は本発明の第二実施例に基づくソーラー発電装置の立体図である。
【図３】図３は本発明の第三実施例に基づくソーラー発電装置の立体図である。
【図４】図４は本発明の第二実施例及び第三実施例に基づくソーラー発電装置の載置構造の断面図である。
【図５】図５は本発明に基づく可動モジュール及びソーラー発電モジュールを示す。
【図６】図６は本発明に基づくソーラーパネルの平面図である。
【発明を実施するための形態】
【０００７】
本発明の上記内容を更に明白にわかり易くするために、以下において実施例を挙げ、図面を合わせて詳細に説明する。
【実施例】
【０００８】
以下で述べる「接続」とは、「直接的な接続」又は「間接的な接続」を含むが、これに制限されない。
【０００９】
図１は、本発明の第一実施例に基づくソーラー発電装置１の立体図である。図１に示すように、座標軸Ｘ、Ｙ、Ｚの定義は図面のように示し、本実施例の太陽追尾機能を有するソーラー発電装置１は可動モジュール１０と第一支持構造２０と接続構造３０と第二支持構造４０と載置構造５０とソーラー発電モジュール６０とを含む。
【００１０】
可動モジュール１０は移動可能なモジュールであり、ＸＺ平面上における移動の自由度を提供する。その詳細な構造は後に説明する。第一支持構造２０及び第二支持構造４０の少なくとも一の長さは伸縮可能である。例えば、第一支持構造２０及び第二支持構造４０は地面に垂直に設置される。しかし、本発明はこれに制限されず、第一支持構造２０及び第二支持構造４０は地面に垂直に設置されなくてもよい。  
【００１１】
第一支持構造２０の第一端２１は可動モジュール１０に接続される。第一支持構造２０は下支柱２３及び上支柱２４を含む。下支柱２３は接続構造３０に接続される。上支柱２４は下支柱２３に連結され、載置構造５０に接続され、又下支柱２３に対して伸縮できる。
【００１２】
接続構造３０の第一端３１は可動モジュール１０に接続される。例えば、接続構造３０は水平方向に設置される。しかし、本発明はこれに制限されるものではなく、接続構造３０は傾斜した設置もできる。
【００１３】
第二支持構造４０の第一端４１は接続構造３０の第二端３２に接続され、地面又は屋根などの固定構造に固定される。例えば、第二支持構造４０は下支柱４３及び上支柱４４を含む。下支柱４３は接続構造３０に接続される。上支柱４４は下支柱４３に連結され、載置構造５０に接続され、又下支柱４３に対して伸縮及び回動できる。
【００１４】
載置構造５０の第一端５１は第二支持構造４０の第二端４２に接続され、載置構造５０の第二端５２は第一支持構造２０の第二端２２に接続される。
【００１５】
ソーラー発電モジュール６０は載置構造５０上に設置される。例えば、ねじによりソーラー発電モジュール６０を載置構造５０上に固定してもよい。載置構造５０は第一支持構造２０及び第二支持構造４０に対して回動できる。ソーラー発電モジュール６０は複数のソーラーパネル６１を含む。又、可動モジュール１０は第二支持構造４０に対して回動可能であり、且つ第一支持構造２０と第二支持構造４０との長さの違いは手動または自動で調整でき、これによりソーラー発電モジュール６０は太陽追尾機能を備えることができる。
【００１６】
本実施例において、載置構造５０は、第一支持構造２０及び第二支持構造４０に可動自在に接続される。これにより、ソーラー発電モジュール６０は載置構造５０の第一端５１と第二端５２との線を中心軸として回転でき、ソーラー発電モジュール６０の角度を手動又は自動で容易に調整できる。
【００１７】
この他、ソーラー発電装置１は、ケーブル７０を更に含み、その一端７１はソーラー発電モジュール６０に接続され、ケーブル７０は第二支持構造４０中に設置され、又、充電制御器又は並列コンバータまで伸ばされ、電力を蓄積又は電力供給装置に使用できる。第二支持構造４０は中空の円柱でもよい。
【００１８】
図２は、本発明の第二実施例に基づくソーラー発電装置１´の立体図である。図２に示すように、本実施例は第一実施例に類似し、差異は、載置構造５０´にある。第一実施例において、載置構造５０は細長型構造、例えば中空円柱である。第二実施例において、載置構造５０´の主構造はフレーム体であり、これによりソーラー発電モジュール６０のソーラーパネル６１を載置構造５０´に容易に固定できる。
【００１９】
図３は、本発明の第三実施例に基づくソーラー発電装置１´´の立体図である。図３に示すように、本実施例は第二実施例に類似し、差異はソーラー発電モジュール６０´が一枚のソーラーパネル６１により構成されていることである。これは、第一実施例及び第二実施例において、ソーラー発電装置１/１´は高出力の発電システムに適合し、複数のソーラー発電装置１/１´がアレイ状に配置もできることを意味するが、第三実施例においては、ソーラー発電装置１´´は小型/低出力の発電システムに適合できる。
【００２０】
以下において、載置構造５０´の詳細な構造を説明する。図４は、本発明の第二実施例及び第三実施例に基づくソーラー発電装置の載置構造５０´の断面図である。図２から図４に示すように、載置構造５０´は、フレーム体５３と第一支持棒５４と第二支持棒５５を含む。フレーム体５３は、例えば矩形フレーム体である。第一支持棒５４はフレーム体５３及び第一支持構造２０に接続される。第二支持棒５５はフレーム体５３及び第二支持構造４０に接続される。フレーム体５３も第一支持構造２０及び第二支持構造４０に対して回動できる。よって、第一支持棒５４はフレーム体５３に固定され、第一支持構造２０にヒンジ接続され、そして、第二支持棒５５はフレーム体５３に固定され、第二支持構造４０にヒンジ接続される。或いは、第一支持棒５４はフレーム体５３にヒンジ接続され、又第一支持構造２０に固定され、そして第二支持棒５５はフレーム体５３にヒンジ接続され、又第二支持構造４０に固定される。
【００２１】
図５は、本発明に基づく可動モジュール及びソーラー発電モジュールを示す。図５に示すように、可動モジュール１０はモーター１１と複数のローラー１２を含む。ローラー１２はモーター１１により回転駆動し、図１に示すように、可動モジュール１０を第二支持構造４０に対して回動させる。例えば、モーター１１はベルト駆動ローラー１３、ベルト１５又はその他の伝達部材を介して、ローラー１２に同軸設置されるベルトローラー１４を駆動し、更に、ローラー１２を駆動して回動する。この他、モーター１１はソーラー発電モジュール６０により給電されてもよい。
【００２２】
図６は、本発明に基づくソーラーパネル６１の平面図である。図６に示すように、ソーラーパネル６１は複数の太陽電池６２が直列/並列に接続され構成される。
【００２３】
図１に示すように、載置構造５０はＸＹ平面上に位置するので、ソーラー発電モジュール６０はＸＹ平面の一つの軸の周りに回動できる。一方、可動モジュール１０は移動でき、且つ上支柱４４が下支柱４３に対して回動できるので、ソーラー発電モジュール６０はＹ軸の周りに回動できる。更に、第一支持構造２０と第二支持構造４０との長さの違いが調整できるので、ソーラー発電モジュール６０はＺ軸に平行する軸の周りで回動できる。このように、ソーラー発電モジュール６０の太陽追尾機能は更にフレキシブルである。
【００２４】
以上より、本発明の太陽追尾機能を有するソーラー発電装置は小型発電装置に適合するばかりでなく、大型発電装置に更に適合でき、且つ自由度が高い回動及び移動機能を有しているので、各種異なる応用に適合し、太陽エネルギーの利用率を有効に向上できる。
【００２５】
以上、実施例により本発明を説明したが、しかし、本発明の範囲をこれに限定するものではない。本発明の本質内であれば、当業者は各種変形や変更を行うことができる。
【符号の説明】
【００２６】
X、Y、Z：座標軸
1、1'、1''：ソーラー発電装置
10：可動モジュール
11：モーター
12：ローラー
13：ベルト駆動ローラー
14：ベルトローラー
15：ベルト
20：第一支持構造
21：第一端
22：第二端
23：下支柱
24：上支柱
30：接続構造
31：第一端
32：第二端
40：第二支持構造
41：第一端
42：第二端
43：下支柱
44：上支柱
50、50'：載置構造
51：第一端
52：第二端
53：フレーム体
54：第一支持棒
55：第二支持棒
60、60'：ソーラー発電モジュール
61：ソーラーパネル
62：太陽電池
70：ケーブル
71：一端
【図１】
2013021287.tif 000003
【図２】
2013021287.tif 000004
【図３】
2013021287.tif 000005
【図４】
2013021287.tif 000006
【図５】
2013021287.tif 000007
【図６】
2013021287.tif 000008